(57)【要約】【課題】電力に関して効率的に無線デバイスを動作させる。【解決手段】ある実施例は、無線デバイスの第１無線インターフェースを使用して、アクセスノードへの関連付けを実行することと；第１無線インターフェースが無効にされる休眠モードへ遷移したこと、および休眠モードへ入ったことを、アクセスノードに示すことと；休眠モードの無線デバイスの第２無線インターフェースを通じ、アクセスノードからウェイクアップフレームを受信することと；ウェイクアップフレームを受信すると、休眠モードを維持したまま第１無線インターフェースを一時的に有効にして、アクセスノードから少なくとも１つのフレームを受信できるようにすることと；第１無線インターフェースを通じて少なくとも１つのフレームを受信すると共に、少なくとも１つのフレームを受信すると、休眠モードで第１無線インターフェースを無効にすることと；含む【選択図】図１
2020502908.tif 000002
【特許請求の範囲】
【請求項１】
無線デバイスによって、
前記無線デバイスの第１無線インターフェースを使用して、無線ネットワークのアクセスノードへの関連付けを実行することと；
前記第１無線インターフェースが無効にされる休眠モードへ遷移したこと、および前記休眠モードへ入ったことを、前記関連付けされたアクセスノードに示すことと；
前記休眠モードにおいて、前記無線デバイスの第２無線インターフェースを通じて、前記アクセスノードからウェイクアップフレームを受信することと；
前記ウェイクアップフレームを受信すると、前記アクセスノードに対して前記休眠モードを維持したまま前記第１無線インターフェースを一時的に有効にして、前記アクセスノードから少なくとも１つのフレームを受信できるようにすることと；
前記第１無線インターフェースを通じて前記少なくとも１つのフレームを受信すると共に、前記少なくとも１つのフレームを受信すると、前記休眠モードで前記第１無線インターフェースを無効にすることと；
を含む、方法。
【請求項２】
前記ウェイクアップフレームを受信すると、前記無線デバイスは、前記休眠モードの仮眠状態から前記休眠モードのアクティブ状態に移行し、前記少なくとも１つのフレームを受信すると、前記無線デバイスは、前記休眠モードの前記アクティブ状態から前記休眠モードの前記仮眠状態に移行する、請求項１に記載の方法。
【請求項３】
前記無線デバイスは、移行することを前記アクセスノードに明示せずに、前記休眠モードの前記アクティブ状態から前記休眠モードの前記仮眠状態に移行する、請求項２に記載の方法。
【請求項４】
前記無線デバイスは、前記仮眠状態に移行するために、前記アクセスノードからのコマンドフレームを用いずに、前記休眠モードの前記アクティブ状態から前記仮眠状態に移行し、前記仮眠状態では、前記第１無線インターフェースは無効にされており、前記第２無線インターフェースは有効にされる、請求項２または３に記載の方法。
【請求項５】
前記無線デバイスはさらに、前記休眠モードでの前記第１無線インターフェースを有効にし、所定の時間の間、前記仮眠状態を維持すると、前記アクティブ状態に移行する、請求項２から４のいずれかに記載の方法。
【請求項６】
前記無線デバイスはさらに、前記休眠モードでの前記第１無線インターフェースを有効にし、前記アクセスノードにフレームを送信することを決定すると、前記アクティブ状態に移行する、請求項２から５のいずれかに記載の方法。
【請求項７】
前記第１無線インターフェースは前記休眠モードで、少なくとも、前記アクセスノードのビーコン送信間隔より長い時間無効にされる、請求項１から６のいずれかに記載の方法。
【請求項８】
前記無線デバイスはさらに、所定の基準にしたがって、前記休眠モードから、前記第１無線インターフェースが有効にされ前記第２無線インターフェースが無効にされるパワー管理モードに移行する、請求項１から７のいずれかに記載の方法。
【請求項９】
前記パワー管理モードは、ＩＥＥＥ８０２．１１仕様にしたがう節電モードまたはアクティブモードである、請求項８に記載の方法。
【請求項１０】
前記休眠モードから前記パワー管理モードに移行するときに、前記無線デバイスが前記アクセスノードにアップリンクフレームを送信し、前記アップリンクフレームは、前記休眠モードから前記パワー管理モードへの移行を示す情報要素を含む、請求項８または９に記載の方法。
【請求項１１】
無線ネットワークのアクセスノードによって、
前記アクセスノードの第１無線インターフェースを使用して、無線デバイスへの関連付けを実行することと；
前記関連付けされた無線デバイスから、該無線デバイスが休眠モードに移行しようとしている旨の表示を受信することであって、前記休眠モードにおいて前記無線デバイスは、前記第１無線インターフェースを使用することによっては前記アクセスノードからコンタクトできない、前記受信することと；
少なくとも１つのフレームを前記無線デバイスに送信することを決定すると共に、前記決定の後、前記無線デバイスにウェイクアップフレームを送信するために前記アクセスノードの第２インターフェースを使用することと；
前記ウェイクアップフレームを送信した後、前記無線デバイスが前記休眠モードであるという情報を維持すると共に、前記第１無線インターフェースを通じて前記少なくとも１つのフレームを前記無線デバイスに送信することと；
を含む方法。
【請求項１２】
前記アクセスノードは、前記無線デバイスへの前記少なくとも１つのフレームの送信が完了すると、前記無線デバイスが前記休眠モードから遷移した旨の明示的な表示を前記アクセスノードが受信した場合を除き、前記無線デバイスとの次の通信を、前記第２無線インターフェースを通じて実行する、請求項１１に記載の方法。
【請求項１３】
前記アクセスノードは、前記無線デバイスへの前記少なくとも１つのフレームの送信が完了した時に、前記第１無線インターフェースを通じて前記無線デバイスにコンタクトすることはもはやできない旨の明示的な表示は受信しない、請求項１１または１２に記載の方法。
【請求項１４】
前記無線デバイスが前記休眠モードからパワー管理モードに移行したことを示す情報要素を含むフレームを、前記無線デバイスから前記アクセスノードによって受信することをさらに含み、
前記パワー管理モードでは、前記第２無線インターフェースではなく前記第１無線インターフェースを通じて前記無線デバイスに情報が伝達される、
請求項１１から１３のいずれかに記載の方法。
【請求項１５】
前記パワー管理モードは、ＩＥＥＥ８０２．１１仕様にしたがう節電モードまたはアクティブモードである、請求項１４に記載の方法。
【請求項１６】
前記第１無線インターフェースは第１の無線アクセス技術を採用し、
前記第２無線インターフェースは、前記第１無線アクセス技術とは異なる第２の無線アクセス技術を採用する、
請求項１から１５のいずれかに記載の方法。
【請求項１７】
無線デバイスのための装置であって、前記装置は、
少なくとも一つのプロセッサと、コンピュータプログラムコードを格納する少なくとも一つのメモリとを備え、
前記コンピュータプログラムコードは、前記少なくとも一つのプロセッサに実行されると、前記装置に、
前記無線デバイスの第１無線インターフェースを使用して、無線ネットワークのアクセスノードへの関連付けを実行することと、
前記第１無線インターフェースが無効にされる休眠モードへ遷移したことを前記関連付けされたアクセスノードに示し、前記休眠モードへ入ることと；
前記休眠モードにおいて、前記無線デバイスの第２無線インターフェースを通じて、前記アクセスノードからウェイクアップフレームを受信することと、
前記ウェイクアップフレームを受信すると、前記アクセスノードに対して前記休眠モードを維持したまま前記第１無線インターフェースを一時的に有効にして、前記アクセスノードから少なくとも１つのフレームを受信できるようにすることと；
前記第１無線インターフェースを通じて前記少なくとも１つのフレームを受信すると共に、前記少なくとも１つのフレームを受信すると、前記休眠モードで前記第１無線インターフェースを無効にすることと：
を遂行させるように構成される、装置。
【請求項１８】
前記コンピュータプログラムコードは、前記少なくとも一つのプロセッサに実行されると、前記装置に、
前記ウェイクアップフレームを受信すると、前記休眠モードの仮眠状態から前記休眠モードのアクティブ状態に移行することと、
前記少なくとも１つのフレームを受信すると、前記休眠モードの前記アクティブ状態から前記休眠モードの前記仮眠状態に移行することと、
を遂行させるように構成される、請求項１７に記載の装置。
【請求項１９】
前記コンピュータプログラムコードは、前記少なくとも一つのプロセッサに実行されると、
移行することを前記アクセスノードに明示せずに、前記休眠モードの前記アクティブ状態から前記休眠モードの前記仮眠状態に前記装置を移行させる、
請求項１８に記載の装置。
【請求項２０】
前記コンピュータプログラムコードは、前記少なくとも一つのプロセッサに実行されると、前記装置に、
前記仮眠状態に移行するために、前記アクセスノードからのコマンドフレームを用いずに、前記休眠モードの前記アクティブ状態から前記仮眠状態に移行することを遂行させるように構成され、
前記仮眠状態では、前記第１無線インターフェースは無効にされており、前記第２無線インターフェースは有効にされている、請求項１８または１９に記載の装置。
【請求項２１】
前記コンピュータプログラムコードは、前記少なくとも一つのプロセッサに実行されると、前記装置に、
前記休眠モードで前記第１無線インターフェースを有効にすることと、
所定の時間の間、前記仮眠状態を維持すると、前記アクティブ状態に移行することと、
を遂行させるように構成される、請求項１８から２０のいずれかに記載の装置。
【請求項２２】
前記コンピュータプログラムコードは、前記少なくとも一つのプロセッサに実行されると、前記装置に、
前記休眠モードにある前記第１無線インターフェースを有効にすることと、
前記アクセスノードへのフレームの送信を決定すると、前記アクティブ状態へ移行することと、
を遂行させるように構成される、請求項１８から２１のいずれかに記載の装置。
【請求項２３】
前記コンピュータプログラムコードは、前記少なくとも一つのプロセッサに実行されると、前記装置に、
少なくとも前記アクセスノードのビーコン送信の時間間隔より長い時間、前記休眠モードで前記第１無線インターフェースを無効にすることを遂行させるように構成される、
請求項１７から２２のいずれかに記載の装置。
【請求項２４】
前記コンピュータプログラムコードは、前記少なくとも一つのプロセッサに実行されると、前記装置に、
所定の基準にしたがい、前記休眠モードからパワー管理モードに移行することを遂行させるように構成され、
前記パワー管理モードでは、前記第１無線インターフェースは有効であり、前記第２無線インターフェースは無効にされている、
請求項１７から２３のいずれかに記載の装置。
【請求項２５】
前記パワー管理モードは、ＩＥＥＥ８０２．１１仕様にしたがう節電モードまたはアクティブモードである、請求項２４に記載の装置。
【請求項２６】
前記コンピュータプログラムコードは、前記少なくとも一つのプロセッサに実行されると、前記装置に、
前記休眠モードから前記パワー管理モードに移行するときに、前記アクセスノードにアップリンクフレームを送信することを遂行させるように構成され、
前記アップリンクフレームは、前記休眠モードから前記パワー管理モードへの移行を示す情報要素を含む、
請求項２４または２５に記載の装置。
【請求項２７】
無線ネットワークのアクセスノードのための装置であって、
少なくとも一つのプロセッサと、コンピュータプログラムコードを格納する少なくとも一つのメモリとを備え、
前記コンピュータプログラムコードは、前記少なくとも一つのプロセッサに実行されると、前記装置に、
前記アクセスノードの第１無線インターフェースを使用して、無線デバイスへの関連付けを実行することと、
前記関連付けされた無線デバイスから、該無線デバイスが休眠モードに移行しようとしている旨の表示を受信することであって、前記休眠モードにおいて前記無線デバイスは、前記第１無線インターフェースを使用することによっては前記アクセスノードからコンタクトできない、前記受信することと；
少なくとも１つのフレームを前記無線デバイスに送信することを決定すると共に、前記決定の後、前記無線デバイスにウェイクアップフレームを送信するために前記アクセスノードの第２インターフェースを使用することと；
前記ウェイクアップフレームを送信した後、前記無線デバイスが前記休眠モードである旨の情報を維持すると共に、前記無線デバイスに前記少なくとも１つのフレームを送信するために前記第１無線インターフェースを使用することと、
を遂行させるように構成される装置。
【請求項２８】
前記コンピュータプログラムコードは、前記少なくとも一つのプロセッサに実行されると、前記装置に、
前記無線デバイスへの前記少なくとも１つのフレームの送信が完了すると、前記無線デバイスが前記休眠モードから遷移した旨の明示的な表示を前記アクセスノードが受信した場合を除き、前記無線デバイスとの次の通信を、前記第２無線インターフェースを通じて実行することを遂行させるように構成される、
請求項２７に記載の装置。
【請求項２９】
前記コンピュータプログラムコードは、前記少なくとも一つのプロセッサに実行されると、前記装置に、
前記無線デバイスへの前記少なくとも１つのフレームの送信が完了した時に、前記第１無線インターフェースを通じて前記無線デバイスにコンタクトすることはもはやできない旨の明示的な表示は受信しないことを遂行させるように構成される、
請求項２７または２８に記載の装置。
【請求項３０】
前記コンピュータプログラムコードは、前記少なくとも一つのプロセッサに実行されると、前記装置に、
前記無線デバイスが前記休眠モードからパワー管理モードに移行したことを示す情報要素を含むフレームを、前記無線デバイスから受信することを遂行させるように構成され、
前記パワー管理モードでは、前記第２無線インターフェースではなく前記第１無線インターフェースを通じて前記無線デバイスに情報が伝達されうる、
請求項２７から２９のいずれかに記載の装置。
【請求項３１】
前記パワー管理モードは、ＩＥＥＥ８０２．１１仕様にしたがう休眠モードである、請求項３０に記載の装置。
【請求項３２】
前記第１無線インターフェースは第１の無線アクセス技術を採用し、
前記第２無線インターフェースは、前記第１無線アクセス技術とは異なる第２の無線アクセス技術を採用する、
請求項１７から３１のいずれかに記載の装置。
【請求項３３】
前記装置に無線通信機能を提供する、前記第１無線インターフェースおよび前記第２無線インターフェースをさらに備える、請求項１７から３２のいずれかに記載の装置。
【請求項３４】
請求項１から１６のいずれかに記載の方法の全てのステップを実行する手段を備える、装置。
【請求項３５】
装置による読み取りが可能な配布媒体に具現化され、前記装置にロードされたときに、請求項１から１６のいずれかにしたがう方法の全てのステップを含むコンピュータ処理を実行するプログラム命令を備える、コンピュータプログラム製品。
【発明の詳細な説明】
【技術分野】
【０００１】
本願の発明は無線通信に関し、特に無線デバイスの節電能力の向上に関する。
【背景】
【０００２】
無線ネットワークは様々な節電機能を用いて、携帯端末等のバッテリー式のデバイスでの電力消費を削減する。ＩＥＥＥ  ８０２．１１（Ｗｉ−Ｆｉ）の仕様に基づくネットワークは、節電モードを導入している。節電モードでは、デバイスは一時的にＷｉＦｉのインターフェースを切断して、電力消費を削減する。その他の多くのネットワークも同様の節電モードを用いて、フレーム伝送の間または配信データがないときに、バッテリー式の装置を"仮眠状態"（doze state）にする。仮眠状態では、バッテリー式の装置のＷｉ−Ｆｉその他のメイン無線インターフェースが、一時的に切断される場合がある。仮眠状態は、中止されなければならないとき（例えば、無線ネットワークから情報を受信する場合）がある。例えば、情報はビーコン信号またはその他の定期的なブロードキャスト信号によって提供される場合がある。別の理由によって、仮眠状態を中止し、フレームの送信／受信のためにデバイスがそのメイン無線インターフェースをアクティブにしなければならない場合もある。
【０００３】
仮眠状態において、ある期間の間、メイン無線インターフェースを維持することは、電力消費の観点から有利であろう。
【摘要】
【０００４】
ある態様によれば、独立請求項の内容が提供される。
【０００５】
本発明の実施例のいくつかは、従属請求項に定義されている。
【図面の簡単な説明】
【０００６】
以下の添付図面を例として参照しつつ、本明細書に記載の発明の実施例を以下に説明する。
【図１】本発明の実施例が適用されうる無線通信シナリオの一例を示す。
【図２】無線デバイスでの休眠モードを操作するための実施例のフロー図を示す。
【図３】アクセスノードによって、休眠モードの無線デバイスと通信するための実施例のフロー図を示す。
【図４】本発明の実施例による、動作モードおよび動作モード間の遷移を示す。
【図５】無線デバイスの休眠モード内での状態遷移図を示す。
【図６】アクセスノードと、休眠モードで動作している無線デバイスとの間のフレーム伝送を実行するための実施例を示すシグナリング図を示す。
【図７】アクセスノードと、休眠モードで動作している無線デバイスとの間のフレーム伝送を実行するための実施例を示すシグナリング図を示す。
【図８】本発明のいくつかの実施例による装置のブロック図を示す。
【図９】本発明のいくつかの実施例による装置のブロック図を示す。
【実施例の説明】
【０００７】
以下の実施例は一例である。本明細書では複数の箇所で「ある」、「特定の」、または「いくつかの」実施例（複数の場合もある）について言及されているが、こうした言及の各々が同一の（１つ又は複数の）実施例に言及していることを必ずしも意味するものではない。また、そこでの特徴がある単一の実施例にのみ適用することを必ずしも意味するものではない。別々の実施例におけるそれぞれの特徴は、他の実施例を提供するために組み合わせられてもよい。さらに、「備える」「含む」いった用語は、説明される実施例を、言及されたそれらの特徴のみで構成すると限定して理解すべきではない。このような実施例は、特に言及されていない特徴／構造も含むことができる。
【０００８】
本発明の実施例が適用されうる一般的な無線通信シナリオが、図１に示される。図１は、アクセスポイント（ＡＰ）１００、複数の無線端末装置（ＳＴＡ）１１０、１１２を含む、無線通信装置を示す。アクセスポイントは、ＢＳＳ（ｂａｓｉｃ  ｓｅｒｖｉｃｅ  ｓｅｔ）に関連する場合があり、ここで、このＢＳＳは、ＩＥＥＥ  ８０２．１１ベースのＷＬＡＮ（ｗｉｒｅｌｅｓｓ  ｌｏｃａｌ  ａｒｅａ  ｎｅｔｗｏｒｋ）の基本構成要素である。最も一般的なＢＳＳタイプはインフラＢＳＳであり、単一のＡＰと、そのＡＰに関連する全てのＳＴＡを含む。ＡＰは固定型ＡＰであってもよいし、移動型ＡＰであってもよい。ＡＰ１００は、その他のネットワーク（例えば、インターネット）へのアクセスを提供することもできる。別の実施例では、ＢＳＳが複数のＡＰを備え、ＥＳＳ（ｅｘｔｅｎｄｅｄ  ｓｅｒｖｉｃｅ  ｓｅｔ）を形成する場合がある。さらに別の実施例では、１つまたは複数の他の端末装置１１２が連携可能なピアツーピアの無線ネットワークを、端末装置１１０が確立および管理できる。このようなケースでは、ピアツーピアネットワークが１つまたは複数の端末装置の間で確立される場合があり、いくつかの実施例では、ネットワークを管理している端末装置がアクセスノードとして動作する場合がある。ここで、このアクセスノードは、他の端末装置に他のネットワーク（例えば、インターネット等）を提供する。その他の実施例では、このようなルーティング機能（ｒｏｕｔｉｎｇ  ｆｕｎｃｔｉｏｎａｌｉｔｙ）は用いられず、接続は端末装置で終結する。このようなピアツーピアネットワークは、データシェアリングまたはゲーム等にとって便利な場合がある。
【０００９】
アクセスノード１００は、ネットワーク管理システム（ＮＭＳ）１３０に接続されうる。ここで、このネットワーク管理システム（ＮＭＳ）１３０は、無線ネットワークのチャネル使用を構成する１つまたは複数のアクセスノードの無線ネットワークのチャネル使用情報を保持するように構成される。例えば、ネットワーク管理システム（ＮＭＳ）１３０は、互いに近接する無線ネットワークが異なるチャネルを使用して動作するようにアレンジすることができ、このようにすることで、ネットワーク間の干渉を回避する。例示的なシナリオであるが、企業のアクセスノードは全て同じＮＭＳ１３０で制御される。実施例によっては、ネットワーク管理システム１３０がアクセスノードの１つ（例えば、アクセスノード１００）に含まれる。別の実施例では、ネットワーク管理システムは、アクセスノードと異なる装置（例えば、有線接続または無線接続経由でアクセスノードが接続することのできるサーバコンピュータ）によって実現される。
【００１０】
本発明の実施例は、ＩＥＥＥ  ８０２．１１仕様の上記接続形態のコンテキストにおいて説明されているが、本発明のこれら実施例またはその他の実施例は、その他の仕様に基づくネットワークにも適用可能である。その他の仕様とは、例えば、ＩＥＥＥ  ８０２．１１のその他のバージョン、ＷｉＭＡＸ（登録商標）、ＵＭＴＳ  ＬＴＥ  （Ｌｏｎｇ−ｔｅｒｍ  Ｅｖｏｌｕｔｉｏｎ  ｆｏｒ  Ｕｎｉｖｅｒｓａｌ  Ｍｏｂｉｌｅ  Ｔｅｌｅ¬ｃｏｍｍｕｎｉｃａｔｉｏｎ  Ｓｙｓｔｅｍ）、ＬＴＥ−Ａｄｖａｎｃｅｄ、５Ｇ（ａ  ｆｉｆｔｈ  ｇｅｎｅｒａｔｉｏｎ  ｃｅｌｌｕｌａｒ  ｃｏｍｍｕｎｉｃａｔｉｏｎ  ｓｙｓｔｅｍ）、コグニティブ無線機能（例えば、送信媒体センサー機能、異なる仕様および／または標準規格に基づく無線アクセスネットワークとの共存への順応性）を有するその他のネットワークである。いくつかの実施例は、ＩＥＥＥ  ８０２．１９．１規格で規定される機能を有するネットワークに適用可能である。適切な通信システムの一例として、上記のような５Ｇシステムがある。
【００１１】
本明細書のコンテキストにおける無線ネットワークの定義に関していうと、無線ネットワークが１つまたは複数のＢＳＳを備える場合がある。ある視点によれば、無線ネットワークは複数のＢＳＳを備える場合がある。ここで、この複数のＢＳＳは、同一のＳＳＩＤ（ｓａｍｅ  ｓｅｒｖｉｃｅ  ｓｅｔ  ｉｄｅｎｔｉｆｉｅｒ）、同一のローミング識別子、および／または同一のローミングパートナーシップを有する。
【００１２】
端末装置１１０、１１２は、検出したアクセスノードのうちのいずれか１つとの接続を確立することができる。これらのアクセスノードは、端末装置の近くで無線接続を提供する。接続の確立は認証処理を含む場合がある。ここで、この認証処理では、端末装置の識別性がアクセスノードで確立される。この認証処理には、ＢＳＳで使用される暗号鍵の変更を含む場合もある。認証処理のあと、アクセスノードと端末装置とは、端末装置が完全にＢＳＳに登録される関連付け（例えば、端末装置にＡＩＤ（ａｓｓｏｃｉａｔｉｏｎ  ｉｄｅｎｔｉｆｉｅｒ）を付与すること）を実行することができる。他のシステム用語では、認証（ａｕｔｈｅｎｔｉｃａｔｉｏｎ）および関連付け（ａｓｓｏｃｉａｔｉｏｎ）は必ずしも使用されない。そのため、アクセスノードに対する端末装置の関連付けは、「端末装置がアクセスノードについて接続状態にあること」「端末装置がアクセスノードからのダウンリンクのフレーム送信を待っていること」「端末装置が、アップリンクのフレーム送信のために端末装置自身のバッファを待っていること」のように、端末装置とアクセスノードとの間の接続の確立といった広い意味として理解されるべきであることに留意すべきである。
【００１３】
端末装置１００、１１２は、ネットワークディスカバリ処理を通じて、アクセスノード１００を検出することができる。ＩＥＥＥ  ８０２．１１のアクションアイテムタスクグループは、ＦＩＬＳ（ｆａｓｔ  ｉｎｉｔｉａｌ  ｌｉｎｋ  ｓｅｔｕｐ）のための原理を定義する。この原理の１つの態様は、ＡＰ及びネットワークディスカバリをさらに速くかつ明瞭にすることである。いくつかの原理は受動的スキャニングに関連する場合がある。ここで、この受動的スキャニングでは、ＳＴＡ等のスキャニング装置が、ビーコンフレーム、管理フレーム、広告フレームのいずれかのフレームのためのチャネルを受動的にスキャンする。その他の原理は能動的スキャニングに関連する場合がある。ここで、この能動的スキャニングでは、スキャニング装置が、ＡＰまたはネットワークに問い合わせをするため、能動的にスキャニング要求メッセージ（例えば、プローブ要求メッセージ、ＧＡＳ（ｇｅｎｅｒｉｃ  ａｄｖｅｒｔｉｓｅｍｅｎｔ  ｓｅｒｖｉｃｅ）リクエスト）を送信する。プローブ要求は、応答装置がプローブ要求に応答するために満たすべきいくつかの条件を設定することもできる。いくつかの実施例では、スキャニング装置が、要求デバイス（ｒｅｑｕｅｓｔｉｎｇ  ｄｅｖｉｃｅ）または要求装置（ｒｅｑｕｅｓｔｉｎｇ  ａｐｐａｒａｔｕｓ）と称される場合がある。応答装置は、スキャニング応答メッセージを送信できる。スキャニング応答メッセージは、例えば、スキャニング要求メッセージに応答するプローブ応答メッセージである。ここで、スキャニング応答メッセージは、応答デバイス、そのネットワーク、及びその他のネットワークの情報を含むことができる。本明細書で前述したスキャニングの増強の実施例は、ネットワークディスカバリシグナリング、プローブ要求−応答処理（ＧＡＳ要求−応答処理と同様）を含む。
【００１４】
電力消費は、常に全ての無線ネットワーク及び移動体通信で課題となっている。８０２．１１の仕様では、ＰＳ（ｐｏｗｅｒ  ｓａｖｅ，節電）モードのような節電メカニズムを提供し、ＳＴＡがアクセスノードと関連付けられているときに電力消費をセーブする。関連付けられたＳＴＡがフルパワーで動作し、アクセスノードとのフレームの送受信が可能な場合、当該ＳＴＡは、デフォルト設定で、アウェイク状態に自身を維持するアクティブモードにある。関連付けされたＳＴＡは、明示的なシグナリングによってＰＳモードに移行することができ、ＰＳモードで動作している間、仮眠状態で時々動作することによって電力を節約することができる。仮眠状態では、ＳＴＡはフレームを送受信できない。しかし一方、ＳＴＡの電力消費は、アウェイク状態のときと比較して大幅に少ない。ＳＴＡは、アクセスノードからの周期的なビーコンフレームを受信するために仮眠状態から覚醒する（ｗａｋｅ  ｕｐ）場合もある。ＳＴＡが仮眠状態の間、アクセスノードはＳＴＡ宛のフレームをバッファリングする。ＳＴＡが覚醒すると、アクセスノードは、特定のＤＴＩＭ（ｄｅｌｉｖｅｒｙ  ｔｒａｆｆｉｃ  ｉｎｄｉｃａｔｉｏｎ  ｍａｐ）のビーコンフレームの後に、バッファリングされたマルチキャスト／グループフレームを送信する。ユニキャストフレームはＰＳモードのＳＴＡでのみ送信される場合があり、このＰＳモードは、ＳＴＡがアウェイク状態に移行したことを示している。アクセスノードは、ビーコンフレーム（のＴＩＭ（ｔｒａｆｆｉｃ  ｉｎｄｉｃａｔｉｏｎ  ｍａｐ）フィールド）を用いて、バッファリングされたフレームがあることをＳＴＡに示す。
【００１５】
ＰＳモードのＳＴＡがアウェイク状態への移行を示し、バッファリングされたフレームをアクセスノードから読み出すメカニズムとして、２つの主要なメカニズムがある。これらは、ＰＳ−Ｐｏｌｌフレームの使用と、ＡＰＳＤ（ａｕｔｏｍａｔｉｃ  ｐｏｗｅｒ  ｓａｖｅ  ｄｅｌｉｖｅｒｙ）の使用、特に、Ｕ−ＡＰＳＤ（ｕｎｓｃｈｅｄｕｌｅｄ  ＡＰＳＤ）の使用である。前者において、ＳＴＡは、ＰＳ−Ｐｏｌｌフレームを送信して、アクセスノードに対し、当該ＳＴＡはダウンリンクフレームを１つ受信するまでアウェイク状態である旨を示す。アクセスノードにＰＳ−Ｐｏｌｌフレームを送信したＳＴＡに対して、そのアクセスノードがそのＳＴＡにフレームを送信すると、当該アクセスノードは、そのＳＴＡが仮眠状態に戻ったとみなし、ＳＴＡ宛のフレームのバッファリングを継続する。ＳＴＡがＵ−ＡＰＳＤスキームを使用する場合、当該ＳＴＡは、アクセスノードに送信されるアップリングトリガーフレームを有するＳＰ（ｓｅｒｖｉｃｅ  ｐｅｒｉｏｄ：サービス期間）を生じさせることによって、アクセスノードにバッファリングされた複数のフレームを読み出すことができる。トリガーフレームの送信に関して、ＳＴＡは、ＥＯＳＰ（ｅｎｄ  ｏｆ  ｔｈｅ  ｓｅｒｖｉｃｅ  ｐｅｒｉｏｄ；サービス期間の終了）を示すフレームをアクセスノードから受信するまで、アウェイク状態を維持する。ＥＯＳＰは、フレーム内の規定値に設定されるＥＯＳＰビットを設定することで示すことができる。
【００１６】
８０２．１１ワークグループの最近の成果物には、ＷＵＲ（ｗａｋｅ−ｕｐ  ｒａｄｉｏ）と称される新しい低電力の無線インターフェースの紹介が含まれている。ＷＵＲは、ＷＵＲスタディグループで議論されている。新しいタスクグループ、ＴＧｂａが設立されており、スタディグループの課題を引き続き検討する予定である。新しい無線インターフェースの１つの目的は、８０２．１１の仕様にしたがうデータ通信に使用されるメイン無線インターフェース（基本的な接続性を提供する無線機能としても知られている）が、長時間仮眠状態を維持することを可能にすることによって、さらなる消費電力の低下を可能にすることである。低消費電力の無線インターフェースは、スタディグループで、ＷＵＲ受信機、ＬＰ−ＷＵＲ（ｌｏｗ−ｐｏｗｅｒ  ＷＵＲ：低電力ＷＵＲ）受信機と称される。また、この低消費電力の無線インターフェースは、基本的な接続性を提供する無線機能のコンパニオン無線（ｃｏｍｐａｎｉｏｎ  ｒａｄｉｏ）、つまり基本的な接続性を提供する無線機能と対になって動作する無線機能であると考えられる。ＳＴＡ等の無線デバイスは、ＷＵＲインターフェースと８０２．１１仕様の主要なインターフェースとの両方を備える場合がある。アクセスノードは、ウェイクアップ送信機（ｗａｋｅ−ｕｐ  ｔｒａｎｓｍｉｔｔｅｒ）と８０２．１１仕様の主要なインターフェースとを備える場合がある。したがって、無線ネットワークのデバイスは、ウェイクアップ無線インターフェース（ｗａｋｅ−ｕｐ  ｒａｄｉｏ  ｉｎｔｅｒｆａｃｅ）とメインインターフェースとを備える場合がある。アクセスノードが、仮眠状態にあるＳＴＡに送信するデータを有している場合、ウェイクアップ無線インターフェースの目的は、メイン無線インターフェースを覚醒させることが唯一または主要である旨提案されている。
【００１７】
ウェイクアップ無線インターフェースは、メイン無線インターフェースよりも電力を消費しないように設計することができる。ウェイクアップ無線インターフェースは、メイン無線インターフェースよりもシンプルな変調スキームを用いることができる。例えば、メイン無線インターフェースが、位相偏移キーイングや（直交）振幅変調等の様々な変調スキームを用いる一方、ウェイクアップ無線インターフェースは、オン／オフキーイングしか用いない場合がある。ウェイクアップ無線インターフェースは、メイン無線インターフェースが動作可能な最も狭い帯域幅よりもさらに狭い帯域幅で動作可能である。例えば、メイン無線インターフェースの最小帯域幅が２０ＭＨｚであるのに対し、ウェイクアップ無線インターフェースの最小帯域幅は５ＭＨｚであってもよい。
【００１８】
ウェイクアップ無線インターフェースの主な目的は、メイン無線インターフェースを覚醒させることである。そのため、メイン無線インターフェースの電源が切られたときに、ウェイクアップ無線インターフェースの電源をＯＮにすることができる。ＳＴＡのウェイクアップ無線インターフェースは、アクセスノードのウェイクアップ無線インターフェースによって送信されるウェイクアップ無線フレームを受信および抽出するように構成されている場合がある。ＳＴＡのウェイクアップ無線インターフェースは、メイン無線インターフェースからのいずれの補助もなく、それ自身でウェイクアップ無線フレームをデコードすることができる場合がある。したがって、ウェイクアップ無線インターフェースは、無線周波数のフロント−エンド・レシーバの構成要素に加えて、ウェイクアップ無線フレームのコンテンツをデコード可能な、デジタルベースバンド・レシーバの構成要素およびフレーム抽出プロセッサを備える場合がある。ウェイクアップ無線フレームは、ＳＴＡを示す行き先アドレスフィールドを含むことができる。ここで、このＳＴＡは、メイン無線インターフェースを覚醒させると考えられる。また、フレーム抽出プロセッサは、受信されたウェイクアップ無線フレームから行き先アドレスのデコードを行うことができ、行き先アドレスがフレーム抽出プロセッサのＳＴＡのアドレスであるか否か判断できる。行き先アドレスがフレーム抽出プロセッサのＳＴＡである場合、フレーム抽出プロセッサは、アクセスノードとの無線通信のためにメイン無線インターフェースを覚醒させるウェイクアップ信号を出力できる。
【００１９】
メイン無線インターフェースを覚醒させるための上記ウェイクアップ無線の使用は、ＳＴＡがアクセスノードと連携するときに実行される場合がある。
【００２０】
ウェイクアップ受信機の使用の詳細な実装方法や、アクセスノードとＳＴＡとの間の状態同期は、ワークグループで開発中である。図２及び図３は、本発明のいくつかの実施例による、２つの無線インターフェースを有する装置での休眠モード（dormant mode）を操作するためのソリューションを示す。図２は、ＳＴＡ１１０、１１２等の無線デバイスのための処理を示す。一方、図３は、アクセスノード１００のための処理を示す。図２の処理は無線デバイスによって実行される。この処理は、無線デバイスの第１無線インターフェースを使用して、無線ネットワークのアクセスノードとの関連付けを行うこと（ブロック２００）、関連付けられたアクセスノードに休眠モードへの遷移を示すこと、及び、第１無線インターフェースが無効にされる休眠モードに入ること（ブロック２０２）、休眠モードで、無線デバイスの第２無線インターフェースを介して、アクセスノードからウェイクアップフレームを受信すること（ブロック２０４）、アクセスノードに対して休眠モードを維持するが、アクセスノードからの少なくとも１つのフレームを受信するべく、第１無線インターフェースを一時的に有効にすること（ブロック２０６）、第１無線インターフェースを通じて無線デバイスによって少なくとも１つのフレームを受信すること、及び、上記少なくとも１つのフレームを受信することと、当該フレームを受信した後に、休眠モードにおける第１無線インターフェースを無効にすること（ブロック２０８）を含む。
【００２１】
図３の処理はアクセスノードによって実行される。この処理は、アクセスノードの第１無線インターフェースを使用して無線デバイスとの関連付けを行うこと（ブロック３００）、第１無線インターフェースによってはアクセスノードが無線デバイスにコンタクトできない休眠モードに無線デバイスが遷移する予定であることを示す情報を、関連付けされた無線デバイスから受信すること（ブロック３０２）、少なくとも１つのフレームを無線デバイスに送信する旨決定すること、及び、上記の決定をしたのち、ウェイクアップフレームの送信の後に無線デバイスにウェイクアップフレームを送信するためにアクセスノードの第２インターフェースを使用すること（ブロック３０４）、無線デバイスが休眠モードである旨の情報を保持すること、及び、第１無線インターフェースを通じ、少なくとも１つのフレームを無線デバイスに送信すること（ブロック３０６）を含む。
【００２２】
図２及び図３の実施例は、無線デバイスが休眠モードでメイン無線インターフェースを一時的に起動し、モード切替することなく１つまたは複数のフレームを受信する処理手順を説明する。フレーム受信後、当該無線デバイスは、アクセスノードとシグナリングのやり取りをすることなく、メイン無線の休止状態に戻ることができる。これにより、シグナリングのオーバーヘッドを減らし、効率的な無線デバイスのスリープを可能にする。また、無線デバイスおよびアクセスノードは、無線デバイスのモードに関する同期を維持する。フレームの送信中／受信中、同一のモードが維持されるためである。
【００２３】
ある実施例では、アプリケーション層のペイロードデータは、メイン無線インターフェースを通じてのみ伝送される。ウェイクアップ無線インターフェースは、メイン無線インターフェースを覚醒させるために使用可能であり、実施例によっては、アプリケーション層の下層で無線ネットワークの制御情報または管理情報の転送をするために使用されうる。図４を参照し、無線デバイスの動作モードを説明する。前述のとおり、無線デバイスおよび当該無線デバイスに関連付けられたアクセスノードは、無線デバイスの現行動作モードで最新の情報を維持することができる。無線デバイスおよびアクセスノードの両者はさらに、少なくとも２つの無線インターフェースを備えることができる。ここで、この２つの無線インターフェースは異なる通信形態を有し、その１つはメイン無線インターフェース（前述の第１無線インターフェース）、もう１つはウェイクアップ無線インターフェース（前述の第２無線インターフェース）である。前述のとおり、ウェイクアップ無線インターフェースは、メイン無線インターフェースと比較して低消費電力での動作を可能にする送信形態を用いることができる。
【００２４】
図４を参照すると、アクティブモードでは、無線デバイスがそのメイン無線インターフェースの電源を常時ＯＮに維持することができる。一方、メイン無線インターフェースの電源がＯＮ状態であるのに対し、ウェイクアップ無線インターフェースは電源ＯＦＦされうる。そのため、無線デバイスは、アクティブモード４００ではメイン無線インターフェースのみを用いる。無線デバイスがアクティブモード４００のとき、アクセスノードは、無線デバイスとの全てのシグナリングでメイン無線インターフェースのみを使用できる。実施例によっては、アクティブモード４００は、ＩＥＥＥ  ８０２．１１規格で規定されるアクティブモードに適合する。
【００２５】
節電モード４０２では、無線デバイスが、時々および十分に制御された方法で電源ＯＦＦするようにメイン無線インターフェースを制御することができる。ウェイクアップ無線インターフェースは、節電モード４０２で電源ＯＦＦされる場合がある。このとき、アクセスノード及び無線デバイスは、節電モードでメイン無線インターフェースとのみ通信できる。無線デバイスは、例えば周期的にメイン無線インターフェースの電源をＯＮし、アクセスノードから周期的なビーコンフレームを受信する。前述のとおり、ビーコンフレームはＴＩＭを伝送することができる。ここで、このＴＩＭは、アクセスノードが無線デバイスのためにバッファリングされたダウンリンクデータを有しているか否かを示す。無線デバイスに送信されるべきダウンリンクデータが存在することをＴＩＭが示す場合、無線デバイスは、ダウンリンクデータの送信を開始させるためのトリガーフレームをアクセスノードに送信できる。トリガーフレームは、複数のダウンリンクフレームを送信できるサービス期間（ｓｅｒｖｉｃｅ  ｐｅｒｉｏｄ：ＳＰ）の契機となることができる。サービス期間は、明示的なシグナリング（例えば、ダウンリンクフレームのサブフィールド）により、アクセスノードによって終了される。その後、無線デバイスは、メイン無線インターフェースの電源をＯＦＦすることができる。ＩＥＥＥ８０２．１１規格では、ＰＳ  Ｐｏｌｌ（ｐｏｗｅｒ−ｓａｖｅ  ｐｏｌｌ）フレームを使用する別のメカニズムが規定されている。ここで、ＰＳ  Ｐｏｌｌフレームは、無線デバイス（ＳＴＡ）によって送信されるアップリンクフレームであり、無線デバイスが現在アウェイク状態にあり、ダウンリンクフレームを受信する準備が整っている旨をアクセスノードに示している。フレーム受信後、無線デバイスはメイン無線インターフェースの電源をＯＦＦにするか、または、別のＰＳ  Ｐｏｌｌフレームを送信することができる。
【００２６】
無線デバイスがグループキャスト／マルチキャストのグループのメンバーである場合、無線デバイスは、後続のグループキャストフレーム／マルチキャストフレームも受信できるよう、周期的なビーコンの受信の直後、メイン無線インターフレームの電源をＯＮ状態に維持することができる。アクセスノードは、節電モード４０２の装置がマルチキャストフレーム／グループキャストフレームを受信できるように、ビーコンフレームの直後にマルチキャストフレーム／グループキャストフレームを送信することができる。同様の方法で、ブロードキャストフレームをビーコンフレームの直後に送信できる。
【００２７】
実施例によっては、節電モード４０２は、ＩＥＥＥ８０２．１１規格の節電モードである。
【００２８】
休眠モード４０４では、メイン無線インターフェースの電源がＯＦＦされるのに対し、ウェイクアップ無線インターフェースは電源ＯＮされる。休眠モードでは、アクセスノードは、ウェイクアップ無線インターフェースを用いて無線デバイスとコンタクトできる。休眠モード４０４では、無線デバイスは、長い時間間隔の間（例えば、アクセスノードのビーコン送信間隔より長い期間の間）、メイン無線インターフェースを電源ＯＦＦ状態に維持できる。アクセスノードはさらに、無線デバイスが周期的なビーコンをチェックせず、そのため、アクセスノードでバッファリングされている無線デバイス宛のダウンリンクフレームにある情報を取得しないとみなすことができる。結果として、休眠モード４０４の無線デバイス宛のダウンリンクフレームをバッファリングすると、アクセスノードはウェイクアップ無線インターフェースを介して無線デバイスにウェイクアップフレームを送信できる。ウェイクアップ無線インターフェースを通じてウェイクアップフレームを受信することは、無線デバイスがそのメイン無線インターフェースをフレームの送受信のために起動するトリガーとなりうる。
【００２９】
実施例によっては、ウェイクアップ受信機は、すべての動作モード４００、４０２、４０４で電源ＯＮされる。
【００３０】
アクセスノードと無線デバイスとの間の通信は、無線デバイスの動作モードによって決まるため、アクセスノード及び無線デバイスは、無線デバイスのモード遷移に関する情報を交換することができる。モード遷移がどのようにシグナリングされるか検討する。
【００３１】
無線デバイスは、モード４００、４０２の間の遷移をパワー管理ビットと称されるサブフィールドを使用することによって示すことができる。ここで、このパワー管理ビットは、無線デバイスによってアクセスノードに送信されるフレームに含まれている。パワー管理ビットの１つの値は、無線デバイスがアクティブモード４００に入ったことを示す。また、パワー管理ビットのもう１つの値は、無線デバイスが節電モード４０２に入ったことを示す。この遷移とモード遷移の明示的なシグナリングとは、ＩＥＥＥ  ８０２．１１規格に従うことができる。
【００３２】
同様の方法で、モード４０２、４０４の間の遷移、または、モード４００、４０４の間の遷移が、明示的なシグナリングにより無線デバイスよってアクセスノードに示される場合がある。シグナリングは、ＷＵＲ切り替えフレームの中の情報要素を含むことができる。ＷＵＲ切り替えフレームは、例えば、ＩＥＥＥ  ８０２．１１規格のアクションフレームフォーマットを使用し、休眠モード４０４への／休眠モード４０４からの切り替わりを目的とする新しいフレームまたはフレームセットを定義することによって、規定することができる。代替として、モード４０４に関するモード変更シグナリング用の新しいサブタイプの値を割り当てることによって、現在のフレーム用の新しい制御タイプを規定することもできる。さらに別の代替手段は、ＩＥＥＥ  ８０２．１１の制御フレームの現行制御フレームの拡張スペース内に新しいフレームを定義することである。下の表１は、ＷＵＲ切り替えフレームのコンテンツの実施例を示す。
2020502908.tif 000003
【００３３】
フレーム制御フィールドでは、フレームのタイプおよび任意でフレームのサブタイプ（例えば、ＷＵＲ切り替えフレーム）を明記することができる。ＩＤフィールドは、無線デバイスとアクセスノードとの間の関連付けのための関連付けＩＤを含む。ＢＳＳＩＤ（ＲＡ）は、ＢＳＳ及びアクセスノードを示すフレームのための受信機アドレスを含むことができる。ＴＡフィールドは、無線デバイスのアドレスを含む。モードフィールドは下記の値を示す。１つは休眠モード４０４に入ったこと、もう１つはパワー管理モードに入ったことである。ここで、パワー管理モードは、節電モード４０２またはアクティブモード４００である。モードフィールドは、アクティブモード４００に入ったこと、または、節電モード４０２に入ったことを示す値を別途持つこともできる。しかし、これは必須ではない。なぜなら、前述のフレーム制御フィールドに含まれる前述のパワー管理ビットも、アクティブモード４００または節電モード４０２に入ったことを示すのに使用できるため、モードフィールドが休眠モードの終了を示せば十分であるためである。図４を要約すると、休眠モード４０４にある無線デバイスが、休眠モード４０４からアクティブモード４００に入ることを望む場合、無線デバイスは、節電モード４０２からアクティブモード４００に遷移するときと同様の手続き（パワー管理ビットを用いて）を使用できる。また、別の実施例では、無線デバイスは、ＷＵＲ切り替えフレームでモードフィールドの値を用いて、休眠モードからアクティブモードへのモード遷移を示す。休眠モード４０４から節電モード４０２へのスイッチングのときも、無線デバイスは、パワー管理ビット及び／またはＷＵＲ切り替えフレームを用いてモード遷移を示すことができる。同様に、アクティブモード４００から休眠モード４０４に直接遷移する場合、無線デバイスは、節電モード４０２から休眠モード４０４（ＷＵＲ切り替えフレーム）に遷移するときと同様の手続きを用いることができる。ＦＣＳ（ｆｒａｍｅ  ｃｈｅｃｋ  ｓｅｑｕｅｎｃｅ）は、エラー検出のために使用できる。
【００３４】
休眠モード４０４は、休眠モードをサポートし、かつ、ウェイクアップ無線インターフェースを有する装置間の接続でのみ利用可能な場合がある。アクセスノードに関連付けされた無線デバイスの場合、無線デバイスは、スキャニングと関連付けとを通じてアクセスノードの機能を提供される場合がある。アクセスノードは、ビーコン、プローブ応答、関連付け応答フレーム等でその機能を示すことができる。休眠モード及びＷＵＲの機能をサポートすることは、上記フレームの１つまたは複数のフィールドを用いて示すことができる。アクセスノードには、関連付け手続きを通じて無線デバイスの機能を提供することができる。無線デバイスは、関連付け手続きの開始時にアクセスノードに送信する、関連付け要求フレームの１つまたは複数のフィールドを用いて、その無線デバイスの機能を示すことができる。
【００３５】
実施例によっては、無線デバイスは、アクセスノードとの関連付けが完了するとすぐに、休眠モード４０４に入る。
【００３６】
図５を参照し、休眠モード中の無線デバイスの動作を検討する。前述のように、図２及び図３については、休眠モード４０４中の無線デバイスが、１つまたは複数のフレームを受信するために一時的にメイン無線インターフェースを活性化させることができる。受信完了後、無線デバイスはアクセスノードとの明示的なシグナリングを全くすることなく、メイン無線インターフェースの電源をＯＦＦすることができる。無線デバイスにアクセスノードがコンタクトする必要がある場合、無線デバイスが休眠モードにある限り、次のコンタクトはウェイクアップ無線インターフェースでされるであろう旨、アクセスノードも仮定できる。それに応じ、無線デバイスおよびアクセスノードの両者が、図５に記載の状態遷移の間の休眠モードのように、無線デバイスの動作モードを維持することができる。
【００３７】
図５を参照すると、休眠モードは少なくとも２つの状態を有することができる。１つは、無線デバイスのメイン無線インターフェースの電源がＯＮにされているアクティブ状態５００であり、もう１つは、メイン無線インターフェースの電源がＯＦＦにされている仮眠状態５０２である。無線デバイスのウェイクアップ無線インターフェースは、仮眠状態で電源をＯＮにすることができ、アクティブ状態で電源をＯＦＦにすることができる。実施例によっては、ウェイクアップ無線インターフェースは、５０２、５００の両方の状態で電源ＯＮされる。
【００３８】
アクティブ状態５００と仮眠状態５０２との間の状態遷移について検討する。前述のとおり、無線デバイスを行き先とするウェイクアップフレームの受信、および、アクセスノードから無線デバイスによって受信されるウェイクアップフレームの受信は、仮眠状態５０２からアクティブ状態５００への状態遷移のトリガーとなりうる。その結果、無線デバイスは、メイン無線インターフェースの電源をＯＮにし、任意で、ウェイクアップ無線インターフェースの電源をＯＦＦにできる。
【００３９】
仮眠状態５０２からアクティブ状態５００への状態遷移に関するその他の基準は、タイマーとなる場合がある。仮眠状態５０２に入ると、無線デバイスはタイマーを起動させることができる。タイマーが所定時間カウントすると、無線デバイスは、アクティブ状態５００への状態遷移を開始することができる。アクティブ状態５００に入ると、無線デバイスは、ＰＳ  Ｐｏｌｌフレームまたはトリガーフレーム等のアップリンク制御、データ、管理フレームの送信、または、例えば少なくとも１つのビーコンフレームの受信およびデコードの実行を開始することができる。
【００４０】
仮眠状態５０２からアクティブ状態への状態遷移に関するその他の基準は、イベントとなる場合がある。例えば、無線デバイスは、ＰＳ  Ｐｏｌｌフレームまたはトリガーフレーム等のアップリンク制御、データ、管理フレームの送信の必要性を特定することができる。
【００４１】
アクティブ状態５００から仮眠状態５０２への遷移は、１つまたは複数のダウンリンクフレームの受信を成功したことをトリガーとして開始される場合がある。アクセスノードが無線デバイスに１つまたは複数のダウンリンクフレームの送信を含むサービス期間を提供していた場合、アクセスノードは、サービス期間の最後のダウンリンクフレームにある「サービス期間の終わり」サブフィールドを用いて、サービス期間の終わりを示すことができる。最後のダウンリンクフレームの受信に成功し、サービス期間の終わりを検出すると、無線デバイスは、最後のダウンリンクフレームに対する受信確認を送信後、仮眠状態５０２に移行することができる。受信確認を受信すると、アクセスノードは、無線デバイスが仮眠状態５０２に入り、ウェイクアップ無線インターフェースを用いてのみコンタクト可能であるとみなすことができる。その結果、アクセスノードによるサービス期間の終わりの表示、および、無線デバイスによって関連付けされた受信確認は、無線デバイスが仮眠状態５０２に移行する予定であることを暗示的に示すものとして提供される場合がある。また、暗示的に示すものは必須ではない。この場合、シグナリングオーバーヘッドを削減する。
【００４２】
無線デバイスが１つのダウンリンクフレームの送信を開始した場合（例えば、ＰＳ  Ｐｏｌｌフレーム送信の結果）、アクティブ状態５００から仮眠状態５０２への遷移は、アクティブ状態５００での上記１つのダウンリンクフレームの受信の成功をトリガーとして行われる。１つのダウンリンクフレームに対する受信確認を受信すると、アクセスノードは、無線デバイスが仮眠状態５０２に入り、ウェイクアップ無線インターフェースを用いてのみコンタクト可能であるとみなすことができる。
【００４３】
実施例によっては、無線デバイスは、アクセスノードへの非明示的な切り替えの表示を用いて、休眠モードのアクティブ状態５００から休眠モードの仮眠状態５０２に切り替わる。
【００４４】
実施例によっては、無線デバイスは、仮眠状態５０２へ切り替わるためのアクセスノードからの非明示命令を用いて（例えば、アクセスノードからの不特定のコマンドフレームを用いて）、休眠モードのアクティブ状態５００から休眠モードの仮眠状態５０２に切り替わる。
【００４５】
図６及び図７を参照し、無線デバイスが仮眠状態にあるときの動作モードについてのいくつかの実施例を説明する。図６は、アクセスノード（例えば、アクセスノード１００）と無線デバイス（例えば、ＳＴＡ１１０）との間の通信を説明するシグナリング図を示す。図６を参照すると、無線デバイスおよびアクセスノードはステップ６００で、関連付けと関連性のある接続確立手続を実行する。デフォルト設定で、無線デバイス１１０は、関連付けの後のアクティブモード４００にある場合がある。ステップ６０２において、無線デバイス１１０は、休眠モード４０４に切り替わることを決定する。そして、ＷＵＲ切り替えフレームの送信による休眠モードへの遷移を示すか、または、ステップ６０２でメイン無線インターフェースを用いた別の表示をする。ステップ６０２で表示を受信すると、アクセスノード１００は、無線デバイス１１０の動作モードとして休眠モードを記録することができる（ブロック６０８）。表示を送信し、任意的にステップ６０２の送信に対する受信確認を受信すると、メイン無線インターフェースを無効化し、ウェイクアップ無線インターフェースの電源をＯＮにすることによって、無線デバイスは休眠モード４０４に入ることができる（ブロック６０６）。
【００４６】
アクセスノード１００は、無線デバイス１１０宛のダウンリンクデータを受信する（ブロック６１０）。ダウンリンクデータの受信は、無線デバイス１１０の現行動作モードを確認するトリガーとなる場合がある。無線デバイス１１０の現行モードが休眠モード４０４であると判断すると、アクセスノード１００はそのウェイクアップ無線インターフェースを使用して、ステップ６１２でウェイクアップフレームを無線デバイス１１０に送信できる。代替として、ステップ６１２で無線デバイス１１０にウェイクアップフレームを送信する前に、特定の量のダウンリンクデータがアクセスノード１００で利用可能になるまで、アクセスノード１００は休眠モード４０４の無線デバイス１１０への送信を待つことができる。ウェイクアップフレームはプリアンブルを含み、このプリアンブルは、８０２．１１のプリアンブル仕様に従うことができる。ウェイクアップフレームは、ペイロード部を含むことができる。８０２．１１のプリアンブルは、従来の装置も同様にフレームを検出できることを可能にする。ペイロード部はウェイクアップ無線プリアンブルを含むことができる。ここで、このウェイクアップ無線プリアンブルは、ＰＮ（ｐｓｅｕｄｏ−ｎｏｉｓｅ）シーケンス、受信機アドレスとしての無線デバイス１１０のアドレスを含むメディアアクセス制御ヘッダ、その他のオプション情報、及びフレームチェックシーケンスである場合がある。上記のように、ウェイクアップフレームは、ウェイクアップ無線インターフェースを使用することによって送受信されうる。また、このウェイクアップフレームは、実際の８０２．１１フレーム、または、８０２．１１プリアンブル、メイン無線インターフェースを用いた送受信に先行することができる。
【００４７】
ウェイクアップフレームは、メイン無線インターフェースの起動が要求される無線デバイスのアドレスを含む、行き先アドレスフィールドを含むことができる。別の実施例では、行き先アドレスフィールドは、一群の無線デバイスに対してそのメイン無線インターフェースの起動を要求するグループアドレスまたはマルチキャストアドレスを含むことができる。さらに別の実施例では、行き先アドレスフィールドが省略される場合、または、行き先アドレスフィールドがブロードキャストアドレスを含み、ウェイクアップフレームを受信している無線ネットワークの全受信機に対してメイン無線インターフェースの起動を要求できる場合がある。
【００４８】
ウェイクアップ無線インターフェースでウェイクアップフレームを受信し、任意で、ウェイクアップフレームが無線デバイス１１０を行先アドレスとしていることが検出されると、無線デバイス１１０は、そのメイン無線インターフェースの電源をＯＮにできる（ブロック６１３）。この実施例では、ウェイクアップフレームを送信すると、アクセスノード１００は、決められた時間間隔をカウントするタイマーをアクティベートすることができる（ブロック６１４）。タイマーが満了すると、アクセスノードは無線デバイス１１０に向けたダウンリンクフレームの送信を開始することができる（ステップ６１６）。上記時間間隔は、無線デバイス１１０がウェイクアップフレームをデコードし、メイン無線インターフェースの電源をＯＮにするのに十分な長さであってよい。その結果、アクセスノード１００は、この実施例では、無線デバイス１１０のメイン無線インターフェースが動作可能ないかなる表示も受信することなく、ダウンリンクフレームを送信する。ステップ６１６でダウンリンクフレームを受信し、ダウンリンクフレームのデコードに成功すると、ステップ６１８で無線デバイス１１０は、フレームの受信に成功したことを示す受信確認をできる。そして、メイン無線インターフェースの電源を切り、ウェイクアップ無線インターフェースをアクティベートすることによって、仮眠状態５０２に入る（ブロック６２０）。ステップ６１８で受信確認を受信すると、無線デバイス１１０が仮眠状態５０２に戻ったことを前提に再起動できる。
【００４９】
休眠モードからアクティブモードに切り替わることを決定すると、無線デバイスはメイン無線インターフェースの電源を入れ（ブロック６２２）、アクティブモードへのモード遷移を示すアップリンクフレームをアクセスノードに送信する（ステップ６２４）。上記表示を受信すると、アクセスノードは、無線デバイスの現行動作モードとして、アクティブモード４００をレコードに保存することができる（ブロック６２６）。
【００５０】
要約すると、無線デバイス１１０は、ステップ／ブロック６０６、６１０〜６２０の間、休眠モードで動作可能であり、ステップ６２４での表示を受信するまで、ステップ／ブロック６０８〜６１８の間に関する無線デバイス１１０の動作モードとして、アクセスノード１００は休眠モードを保存することができる。
【００５１】
図７は他の実施例を説明する。この実施例では、図６と同じ参照番号によって示されたステップ／ブロックが、同一または実質的に類似の機能を表す。この実施例では、ステップ６１２でウェイクアップフレームを送信すると、アクセスノード１００は、ステップ６１６でダウンリンクフレームを送信する前に、無線デバイス１１０からアップリンクフレームを受信することによって起動する。ステップ６１２でウェイクアップフレームを受信すると、無線デバイス１１０は、ブロック６１３でメイン無線インターフェースの電源をＯＮにし、メイン無線インターフェースの電源をＯＮにすると、アクセスノード１００が待っているアップリンクフレームをステップ７００で生成および送信する。アップリンクフレームは、例えば、トリガーフレームまたはＰＳ  ｐｏｌｌフレームであってもよい。ステップ７００でアップリンクフレームを受信すると、アクセスノード１００は、メイン無線インターフェースを使用して、ステップ６１６でダウンリンクフレームを生成および送信できる。
【００５２】
図８は、図３の手続きを実行している装置の前述の機能の構造の１つの実施例、または、アクセスノード１００によって実行される実施例のいずれか１つを示す。装置は、アクセスノード１００であってもよい。装置は、ＩＥＥＥ８０２．１１のネットワーク及び／またはその他の無線ネットワークの仕様にしたがうことができる。装置は、その動作を無線環境の変化に合わせることができる（例えば、同一の周波数帯域で別のシステムのパラメータに変更する）、コグニティブ無線デバイスとして定義されうる。装置は、コンピュータ（ＰＣ）、ノート型パソコン、タブレットコンピュータ、携帯電話、パームコンピュータ、その他無線通信機能が提供される装置であってもよいし、これらを備えていてもよい。別の実施例では、前述の機能を実行する装置はこのような装置に含まれる。例えば、この装置は回路（例えば、チップ、チップセット、プロセッサ、マイクロコントローラ、上記装置のいずれかとこれら回路の組み合わせ）を含む場合がある。装置は、本発明の実施例を具現化するための電子回路を備える電子装置であってもよい。
【００５３】
図８を参照すると、装置は、前述のメイン無線インターフェース１２を備える。ここで、このメイン無線インターフェース１２は、装置によって管理される無線ネットワークでの無線デバイスとの双方向通信機能を備える装置を提供するよう構成されている。メイン無線インターフェース１２は、例えば、８０２．１１仕様にしたがって動作することができる。メイン無線インターフェース１２は、信号の送受信処理を行うためのアナログ無線通信のコンポーネント、デジタルベースバンドの処理コンポーネントを備えることができる。メイン無線インターフェース１２は、多段変調のフォーマットをサポートすることができる。
【００５４】
装置はさらに、前述のウェイクアップ無線インターフェース１６を備えることができる。ここで、ウェイクアップ無線インターフェース１６は、ウェイクアップフレームを生成および送信するための送信回路を備える。ウェイクアップ無線インターフェース１６は送信のみ行うように構成されていてもよい。また、いくつかの実施例では、ウェイクアップ無線インターフェース１６がアップリンク通信可能であり、受信機能を有してもよい。ウェイクアップ無線インターフェース１６は、信号の送受信処理を行うためのアナログ無線通信のコンポーネント、デジタルベースバンドの処理コンポーネントを備えることができる。ウェイクアップ無線インターフェース１６は、シングル変調スキーム（例えば、オン／オフキーイング）のみをサポートしてもよい。
【００５５】
メイン無線インターフェース及びウェイクアップ無線インターフェースは、無線インターフェースのコンポーネントを備えてもよい。ここで、無線インターフェースは、１つまたは複数の無線ネットワークの中での無線通信機能を装置に提供する。無線インターフェースのコンポーネントは、増幅器、フィルタ、周波数変換器、変調器（復調器）、エンコーダ／デコーダ回路、１つまたは複数のアンテナ等、標準的で周知のコンポーネントを備えてもよい。
【００５６】
装置はさらに、１つまたは複数のコンピュータプログラム製品２２を記憶するメモリ２０を備えてもよく、このコンピュータプログラム製品２２は、装置（例えば、以下に示す送信コントローラ１４）の少なくとも１つのプロセッサの動作を設定してもよい。メモリ２０は、装置の動作設定を記憶するコンフィギュレーションデータベース２４をさらに記憶できる。コンフィギュレーションデータベース２４は、例えば、装置に関連付けられた無線デバイスの現行動作モードのレコードを記憶することができる。メモリ２０はさらに、装置に関連付けされた無線デバイスを行き先とするダウンリンクデータを記憶しているバッファを記憶する。
【００５７】
装置はさらに、メイン無線インターフェース１２及びウェイクアップ無線インターフェース１６の動作を制御するように構成される送信コントローラ１４を備えることができる。送信コントローラ１４は、メイン無線インターフェース１２及び／またはウェイクアップ無線インターフェース１６を選択的に使用し（例えば、無線デバイスの現行の動作モードに基づいて）、装置に関連付けされた無線デバイスと通信する。送信コントローラ１４は、例えば、図３、６、７の実施例のアクセスノードの動作を制御することができる。
【００５８】
休眠モード及び仮眠状態で動作している無線デバイスを行き先とするバッファ２５のダウンリンクデータを検出すると、送信コントローラ１４は、ウェイクアップ無線インターフェース１６に無線デバイスへのウェイクアップフレームを生成および送信させることができる。所定の時間間隔待機、または、メイン無線インターフェース１２を通じて無線デバイスからのアップリンクフレームを受信すると、送信コントローラ１４は、無線デバイスに対する１つまたは複数のダウンリンクフレームを送信するためにメイン無線インターフェースを設定することができる。最後のダウンリンクフレームの送信後、無線デバイスからの表示を全く受信しない場合、メイン無線インターフェース１２がもはや無線デバイスに達せないと送信コントローラ１４がみなす場合があり、無線デバイスへの次のコンタクトがウェイクアップ無線インターフェース１６によってなされる。
【００５９】
ある実施例では、装置は、コンピュータプログラムコード２２を含む少なくとも１つのプロセッサと少なくとも１つのメモリ２０とを備える。ここで、ある一態様によると、少なくとも１つのプロセッサがコンピュータプログラムコードを実行すると、コンピュータプログラムコードによって、図３、６、７の実施例のいずれか１つにしたがう機能を装置が実行する。別の実施例によると、装置は、少なくとも１つのプロセッサと、コンピュータプログラムコード２２を含む少なくとも１つのメモリ２０とを備える。ここで、少なくとも１つのプロセッサ及びプログラムコード２２は、図３、６、７の実施例のうちのいずれか１つにしたがうアクセスノードの機能の少なくともいくつかを実行する。その結果、少なくとも１つのプロセッサ、メモリ、コンピュータプログラムコードは、アクセスノードで本発明の実施例を実行する処理手段を形成する。さらに別の実施例によると、アクセスノードで本発明の実施例を実行する装置は、少なくとも１つのプロセッサを備える回路と、コンピュータプログラムコード２２を備える少なくとも１つのメモリ２０とを備える。アクティベートされると、その回路は、図３、６、７の実施例のいずれか１つにしたがって、アクセスノードの機能の少なくともいくつかを装置に実行させる。
【００６０】
図９は、図２の手続きを実行している装置の前述の機能の構造の１つの実施例、または、無線デバイス１１０によって実行される実施例のいずれか１つを示す。装置は、無線デバイス１１０であってもよい。装置は、ＩＥＥＥ８０２．１１のネットワーク及び／またはその他の無線ネットワークの仕様にしたがうことができる。装置は、その動作を無線環境の変化に合わせることができる（例えば、同一の周波数帯域で別のシステムのパラメータに変更する）、コグニティブ無線デバイスとして定義されうる。装置は、コンピュータ（ＰＣ）、ノート型パソコン、タブレットコンピュータ、携帯電話、パームコンピュータ、その他無線通信機能が提供される装置であってもよいし、これらを備えていてもよい。別の実施例では、前述の機能を実行する装置はこのような装置に含まれる。例えば、この装置は回路（例えば、チップ、チップセット、プロセッサ、マイクロコントローラ、上記装置のいずれかとこれら回路の組み合わせ）を含む場合がある。装置は、本発明の実施例を具現化するための電子回路を備える電子装置であってもよい。
【００６１】
図９を参照すると、装置は、前述のメイン無線インターフェース５２を備える。ここで、このメイン無線インターフェース５２は、無線ネットワークを操作するアクセスノードとの双方向通信機能を装置に提供するよう構成されている。メイン無線インターフェース５２は、例えば、８０２．１１仕様にしたがって動作することができる。メイン無線インターフェース５２は、信号の送受信処理を行うためのアナログ無線通信のコンポーネント、デジタルベースバンドの処理コンポーネントを備えることができる。メイン無線インターフェース５２は、多段変調のフォーマットをサポートすることができる。
【００６２】
装置はさらに、前述のウェイクアップ無線インターフェース５６を備えることができる。ここで、ウェイクアップ無線インターフェース５６は、ウェイクアップフレームを受信するための受信回路を備える。ウェイクアップ無線インターフェース５６は受信のみ行うように構成  ーフェース５６がアップリンク通信可能であり、送信機能を有してもよい。ウェイクアップ無線インターフェース５６は、信号の送受信処理を行うためのアナログ無線通信のコンポーネント、デジタルベースバンドの処理コンポーネントを備えることができる。ウェイクアップ無線インターフェース５６は、シングル変調スキーム（例えば、オン／オフキーイング）のみをサポートしてもよい。
【００６３】
メイン無線インターフェース及びウェイクアップ無線インターフェースは、無線インターフェースのコンポーネントを備えてもよい。ここで、無線インターフェースは、１つまたは複数の無線ネットワークの中での無線通信機能を装置に提供する。無線インターフェースのコンポーネントは、増幅器、フィルタ、周波数変換器、変調器（復調器）、エンコーダ／デコーダ回路、１つまたは複数のアンテナ等、標準的で周知のコンポーネントを備えてもよい。
【００６４】
装置はさらに、１つまたは複数のコンピュータプログラム製品６２を記憶するメモリ６０を備えてもよく、このコンピュータプログラム製品６２は、装置の少なくとも１つのプロセッサ（例えば、以下に示すモード選択回路５４）の動作を設定してもよい。メモリ６０は、装置の動作設定を記憶するコンフィギュレーションデータベース６４をさらに記憶できる。コンフィギュレーションデータベースは、例えば、装置の現行動作モードを記憶することができる。
【００６５】
装置はさらに、モード選択回路５４を備えることができる。ここで、このモード選択回路５４は、装置の現行動作モードにしたがってメイン無線インターフェース５２及びウェイクアップ無線インターフェース５６をＯＮ及びＯＦＦに切り替えるように構成されている。モード選択回路５４は、図４に関連する上記説明のとおり、状態遷移にしたがって切り替えを操作することができる。モード選択回路５４は、図５に関連する上記説明のとおり、休眠モードでの状態遷移にしたがって切り替えを操作することもできる。例えば、ウェイクアップ無線インターフェース５６を通じて、休眠モードの仮眠状態でウェイクアップフレームを受信すると、モード選択回路５４はメイン無線インターフェース５２を起動させることができる。
【００６６】
モード選択回路５４は、図４に関連する上記説明のとおり、メイン無線インターフェース５２をさらに制御して、関連付けられたアクセスノードへモード遷移のシグナリングをすることもできる。しかし、休眠モード内での状態遷移は、アクセスノードとのシグナリングを全くせずに実行されてもよい。
【００６７】
ある一つの実施例によると、装置は、少なくとも１つのプロセッサと、コンピュータプログラムコード６２を含む少なくとも１つのメモリ６０とを備える。ここで、少なくとも１つのプロセッサ及びプログラムコードは、図２、７の実施例のうちのいずれか１つにしたがう無線デバイスの機能を、少なくとも１つのプロセッサを用いて装置に実行させるように構成される。ある一態様によると、少なくとも１つのプロセッサがコンピュータプログラムコードを実行すると、コンピュータプログラムコードによって、図２〜図７の実施例のいずれか１つにしたがう機能を装置が実行する。別の実施例によると、装置は、少なくとも１つのプロセッサと、コンピュータプログラムコード２２を含む少なくとも１つのメモリ２０とを備える。ここで、少なくとも１つのプロセッサ及びプログラムコード２２は、図２〜図７の実施例のうちのいずれか１つにしたがう無線デバイスの機能の少なくともいくつかを実行する。その結果、少なくとも１つのプロセッサ、メモリ、コンピュータプログラムコードは、無線デバイスで本発明の実施例を実行する処理手段を形成する。さらに別の実施例によると、無線デバイスで本発明の実施例を実行する装置は、少なくとも１つのプロセッサを備える回路と、コンピュータプログラムコード２２を備える少なくとも１つのメモリ２０とを備える。アクティベートされると、その回路は、図２〜図７の実施例のいずれか１つにしたがう、無線デバイスの機能の少なくともいくつかを装置に実行させる。
【００６８】
なお本願において使用される「回路（ｃｉｒｃｕｉｔｒｙ）」との語句は、次の全てを表す：（ａ）ハードウェアのみの回路実装（アナログ及び／またはデジタル回路のみでの実装等）、及び（ｂ）回路とソフトウェア（および／またはファームウェア）、例えば（適用可能な場合）（ｉ）一つ又は複数のプロセッサや、（ｉｉ）一つ又は複数のプロセッサ／ソフトウェアの部分の組み合わせ。これには、一つ又は複数のDSPやソフトウェア、またこれらと協働して装置に様々な機能を実行させる一つ又は複数のメモリが含まれる。（ｃ）一つ又は複数のマイクロプロセッサや一つ又は複数のマイクロプロセッサの部分のような回路。このような回路は動作のためにソフトウェアやファームウェアを（たとえそれらが物理的には存在しないものと考えられる場合であっても）必要とする。
【００６９】
この「回路」の定義は、本願において当該用語を使う全ての場合において適用される。さらなる例として、本願で使用される場合、「回路（ｃｉｒｃｕｉｔｒｙ）」という用語は、単一（または複数）のプロセッサのみの実装やプロセッサの一部と、付随するソフトウェア、ファームウェアの全部又は一部とによる実装も網羅するものである。「回路」という用語はまた、例えば、特定の要素をその範囲に含むことが可能な場合がある。例えば、無線デバイス用のベースバンド集積回路やアプリケーション処理集積回路を意味してもよい。
【００７０】
図２〜図７に関連して説明されるプロセッサ及び方法も、コンピュータプログラムによって規定されたコンピュータプロセスの形式で実行されうる。コンピュータプログラムはソースコード形式であってもよいし、オブジェクトコード形式、またはいくつかの媒体形式であってもよい。また、コンピュータプログラムは一時的または非一時的なキャリアに記録されていてもよく、ここで、この一時的または非一時的なキャリアは、プログラムを伝搬できるあらゆるエンティティ、装置であってもよい。このようなキャリアは、記憶媒体、コンピュータメモリ、ＲＯＭ（ｒｅａｄ−ｏｎｌｙ  ｍｅｍｏｒｙ）、電気的伝搬信号、電気通信信号、ソフトウェア販売パッケージ等を含む。必要とされる処理電力によって、コンピュータプログラムは、単一の電子デジタル処理ユニットで実行される場合、または、複数の処理ユニットで分散して実行される場合がある。
【００７１】
本発明は、上記の無線ネットワークのみでなく、その他の適切な無線通信システムにも適用可能である。使用されるプロトコル、無線ネットワークの仕様、それらのネットワークの要素および端末は、急速に進歩する。このような進歩は、上記の実施例に追加の変更を必要とする場合がある。そのため、すべての用語および表現は広く解釈されるべきであり、実施例を限定せずに説明することが意図される。技術の進歩とともに、発明の概念が様々な方法で実装されうることは当業者にとって明白であろう。発明およびその実施例は、上記の事例に限定されず、特許請求の範囲を逸脱することなく変化できる。
【図１】
2020502908.tif 000004
【図２】
2020502908.tif 000005
【図３】
2020502908.tif 000006
【図４】
2020502908.tif 000007
【図５】
2020502908.tif 000008
【図６】
2020502908.tif 000009
【図７】
2020502908.tif 000010
【図８】
2020502908.tif 000011
【図９】
2020502908.tif 000012
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
無線デバイスによって、
前記無線デバイスの第１無線インターフェースを使用して、無線ネットワークのアクセスノードへの関連付けを実行することと；
前記第１無線インターフェースが無効にされる休眠モードへ遷移したことを前記関連付けされたアクセスノードに示し、前記休眠モードへ入ることと；
前記休眠モードにおいて、前記無線デバイスの第２無線インターフェースを通じて、前記アクセスノードからウェイクアップフレームを受信することと；
前記ウェイクアップフレームを受信すると、前記アクセスノードに対して前記休眠モードを維持したまま前記第１無線インターフェースを一時的に有効にして、前記アクセスノードから少なくとも１つのフレームを受信できるようにすることと；
前記第１無線インターフェースを通じて前記少なくとも１つのフレームを受信すると共に、前記少なくとも１つのフレームを受信すると、前記休眠モードで前記第１無線インターフェースを無効にすることと；
を含む、方法。
【請求項２】
前記ウェイクアップフレームを受信すると、前記無線デバイスは、前記休眠モードの仮眠状態から前記休眠モードのアクティブ状態に移行し、前記少なくとも１つのフレームを受信すると、前記無線デバイスは、前記休眠モードの前記アクティブ状態から前記休眠モードの前記仮眠状態に移行する、請求項１に記載の方法。
【請求項３】
前記無線デバイスは、移行することを前記アクセスノードに明示せずに、前記休眠モードの前記アクティブ状態から前記休眠モードの前記仮眠状態に移行する、請求項２に記載の方法。
【請求項４】
前記無線デバイスは、前記仮眠状態に移行するために、前記アクセスノードからのコマンドフレームを用いずに、前記休眠モードの前記アクティブ状態から前記仮眠状態に移行し、前記仮眠状態では、前記第１無線インターフェースは無効にされており、前記第２無線インターフェースは有効にされる、請求項２または３に記載の方法。
【請求項５】
前記無線デバイスはさらに、前記休眠モードでの前記第１無線インターフェースを有効にし、所定の時間の間、前記仮眠状態を維持すると、前記アクティブ状態に移行する、請求項２から４のいずれかに記載の方法。
【請求項６】
前記無線デバイスはさらに、前記休眠モードでの前記第１無線インターフェースを有効にし、前記アクセスノードにフレームを送信することを決定すると、前記アクティブ状態に移行する、請求項２から５のいずれかに記載の方法。
【請求項７】
前記第１無線インターフェースは前記休眠モードで、少なくとも、前記アクセスノードのビーコン送信間隔より長い時間無効にされる、請求項１から６のいずれかに記載の方法。
【請求項８】
前記無線デバイスはさらに、所定の基準にしたがって、前記休眠モードから、前記第１無線インターフェースが有効にされ前記第２無線インターフェースが無効にされるパワー管理モードに移行する、請求項１から７のいずれかに記載の方法。
【請求項９】
前記パワー管理モードは、ＩＥＥＥ８０２．１１仕様にしたがう節電モードまたはアクティブモードである、請求項８に記載の方法。
【請求項１０】
前記休眠モードから前記パワー管理モードに移行するときに、前記無線デバイスが前記アクセスノードにアップリンクフレームを送信し、前記アップリンクフレームは、前記休眠モードから前記パワー管理モードへの移行を示す情報要素を含む、請求項８または９に記載の方法。
【請求項１１】
無線ネットワークのアクセスノードによって、
前記アクセスノードの第１無線インターフェースを使用して、無線デバイスへの関連付けを実行することと；
前記関連付けされた無線デバイスから、該無線デバイスが休眠モードに移行しようとしている旨の表示を受信することであって、前記休眠モードにおいて前記無線デバイスは、前記第１無線インターフェースを使用することによっては前記アクセスノードからコンタクトできない、前記受信することと；
少なくとも１つのフレームを前記無線デバイスに送信することを決定すると共に、前記決定の後、前記無線デバイスにウェイクアップフレームを送信するために前記アクセスノードの第２インターフェースを使用することと；
前記ウェイクアップフレームを送信した後、前記無線デバイスが前記休眠モードであるという情報を維持すると共に、前記第１無線インターフェースを通じて前記少なくとも１つのフレームを前記無線デバイスに送信することと；
を含む方法。
【請求項１２】
前記アクセスノードは、前記無線デバイスへの前記少なくとも１つのフレームの送信が完了すると、前記無線デバイスが前記休眠モードから遷移した旨の明示的な表示を前記アクセスノードが受信した場合を除き、前記無線デバイスとの次の通信を、前記第２無線インターフェースを通じて実行する、請求項１１に記載の方法。
【請求項１３】
前記アクセスノードは、前記無線デバイスへの前記少なくとも１つのフレームの送信が完了した時に、前記第１無線インターフェースを通じて前記無線デバイスにコンタクトすることはもはやできない旨の明示的な表示は受信しない、請求項１１または１２に記載の方法。
【請求項１４】
前記無線デバイスが前記休眠モードからパワー管理モードに移行したことを示す情報要素を含むフレームを、前記無線デバイスから前記アクセスノードによって受信することをさらに含み、
前記パワー管理モードでは、前記第２無線インターフェースではなく前記第１無線インターフェースを通じて前記無線デバイスに情報が伝達される、
請求項１１から１３のいずれかに記載の方法。
【請求項１５】
前記パワー管理モードは、ＩＥＥＥ８０２．１１仕様にしたがう節電モードまたはアクティブモードである、請求項１４に記載の方法。
【請求項１６】
前記第１無線インターフェースは第１の無線アクセス技術を採用し、
前記第２無線インターフェースは、前記第１無線アクセス技術とは異なる第２の無線アクセス技術を採用する、
請求項１から１５のいずれかに記載の方法。
【請求項１７】
無線デバイスのための装置であって、
前記無線デバイスの第１無線インターフェースを使用して、無線ネットワークのアクセスノードへの関連付けを実行する手段と、
前記第１無線インターフェースが無効にされる休眠モードへ遷移したことを前記関連付けされたアクセスノードに示し、前記休眠モードへ入る手段と；
前記休眠モードにおいて、前記無線デバイスの第２無線インターフェースを通じて、前記アクセスノードからウェイクアップフレームを受信する手段と、
前記ウェイクアップフレームを受信すると、前記アクセスノードに対して前記休眠モードを維持したまま前記第１無線インターフェースを一時的に有効にして、前記アクセスノードから少なくとも１つのフレームを受信できるようにする手段と；
前記第１無線インターフェースを通じて前記少なくとも１つのフレームを受信すると共に、前記少なくとも１つのフレームを受信すると、前記休眠モードで前記第１無線インターフェースを無効にする手段と：
を備える、装置。
【請求項１８】
無線ネットワークのアクセスノードのための装置であって、
前記アクセスノードの第１無線インターフェースを使用して、無線デバイスへの関連付けを実行する手段と、
前記関連付けされた無線デバイスから、該無線デバイスが休眠モードに移行しようとしている旨の表示を受信する手段であって、前記休眠モードにおいて前記無線デバイスは、前記第１無線インターフェースを使用することによっては前記アクセスノードからコンタクトできない、前記受信する手段と；
少なくとも１つのフレームを前記無線デバイスに送信することを決定すると共に、前記決定の後、前記無線デバイスにウェイクアップフレームを送信するために前記アクセスノードの第２インターフェースを使用する手段と；
前記ウェイクアップフレームを送信した後、前記無線デバイスが前記休眠モードである旨の情報を維持すると共に、前記無線デバイスに前記少なくとも１つのフレームを送信するために前記第１無線インターフェースを使用する手段と、
を備える、装置。
【請求項１９】
処理手段及び記憶手段を備える装置であって、前記記憶手段はプログラム命令を格納し、前記プログラム命令は、前記処理手段に実行されると、前記装置に、請求項１から１０のいずれかに記載の方法を遂行させるように構成される、装置。
【請求項２０】
処理手段及び記憶手段を備える装置であって、前記記憶手段はプログラム命令を格納し、前記プログラム命令は、前記処理手段に実行されると、前記装置に、請求項１１から１６のいずれかに記載の方法を遂行させるように構成される、装置。
【請求項２１】
前記装置に無線通信機能を提供する、前記第１無線インターフェースおよび前記第２無線インターフェースをさらに備える、請求項１７から２０のいずれかに記載の装置。
【請求項２２】
装置の処理手段に実行されると、前記装置に、請求項１から１０のいずれかに記載の方法を遂行させるように構成されるプログラム命令を備える、コンピュータプログラム。
【請求項２３】
装置の処理手段に実行されると、前記装置に、請求項１１から１６のいずれかに記載の方法を遂行させるように構成されるプログラム命令を備える、コンピュータプログラム。
【国際調査報告】
2020502908.tif 000013
2020502908.tif 000014